(57)【要約】【課題】筐体が押出成型によって筒状に形成された携帯電子機器であって、筐体の外観意匠性を損なうことなく内部部品を筐体に固定することができる携帯電子機器及びその組立方法を提供する。【解決手段】筐体１２が押出成型によって筒状に形成されたデジタルカメラ１０であって、レンズユニット１８を筐体１２に固定するためのねじ穴２４が筐体１２の前面側内壁面１２Ａに形成されるとともに、ねじ２６を回すドライバ２８を挿入するための開口部１６が筐体１２に形成される。レンズユニット１８は、押出成型により筐体１２に形成される両端の開放部１３、１３、又は筐体１２に形成された開口部１６を介して筐体１２内のねじ穴２４の位置に配置される。そして、開口部１６から挿入されるドライバ２８によってレンズユニット１８はねじ止め固定される。すなわち、本発明は、押出成型に形成される筐体１２の厚肉の壁面に、貫通孔ではないねじ穴２４を形成し、このねじ穴２４を利用してレンズユニット１８をねじ止め固定する。【選択図】    図１
2009130178.tif 000002
【特許請求の範囲】
【請求項１】
筐体が押出成型によって筒状に形成された携帯電子機器であって、
前記筐体に内部部品を固定するためのねじ穴が筐体の内壁面に形成されるとともに、ねじを回すドライバを挿入するための開口部が筐体に形成されていることを特徴とする携帯電子機器。
【請求項２】
前記筐体の前記開口部は、筐体に取り付けられる表示部又は操作部によって閉塞されることを特徴とする請求項１に記載の携帯電子機器。
【請求項３】
筐体が押出成型によって筒状に形成された携帯電子機器の組立方法であって、
前記筐体に形成された開口部からドライバを挿入し、筐体の内壁面に形成されたねじ穴を利用して内部部品を筐体の内壁面にねじ止め固定し、
前記開口部を表示部又は操作部によって閉塞することを特徴とする携帯電子機器の組立方法。
【発明の詳細な説明】
【技術分野】
【０００１】
本発明は携帯電子機器及びその組立方法に係り、特に筐体が押出成型によって筒状に形成された携帯電子機器において、筐体内に配置される内部部品を筐体にねじ止め固定することができる携帯電子機器及びその組立方法に関する。
【背景技術】
【０００２】
近年、押出成型により形成された中空筒状体を、携帯電子機器の筐体として使用する技術が提案されている。この筐体の内壁面は、押出成型の特徴から押し出し方向にフラットな面であるため、押出成型の筐体の内壁面には、内部部品を実装させるための凹凸部が無い。このため、特許文献１には、押出成型により形成した筐体に、部品取付用の孔及び切欠部をプレス打ち抜き加工により形成し、これらの孔及び切欠部を利用して携帯電子機器の内部部品を筐体に取り付けるようにしている。
【０００３】
一方、携帯電子機器ではないが、映写機のデジタル音声再生装置部の筐体を押出成型により形成することで、十分な強度で部品群を支持するようにした筐体が特許文献２に開示されている。
【特許文献１】特開２００６−１８５９６９号公報
【特許文献２】特開平１１−１１２１６０号公報
【発明の開示】
【発明が解決しようとする課題】
【０００４】
しかしながら、携帯電子機器の筐体に内部部品を取り付けるための孔や切欠部を形成すると、押出成型で形成されたデザイン性のある筐体の外観形状を損ねることになり、また、内部部品を固定するねじが筐体の外表面に露出した場合も筐体の意匠性を損なうという問題があった。
【０００５】
本発明はこのような事情に鑑みてなされたもので、筐体が押出成型によって筒状に形成された携帯電子機器であって、筐体の外観意匠性を損なうことなく内部部品を筐体に固定することができる携帯電子機器及びその組立方法を提供することを目的とする。
【課題を解決するための手段】
【０００６】
請求項１に記載の携帯電子機器の発明は、前記目的を達成するために、筐体が押出成型によって筒状に形成された携帯電子機器であって、前記筐体に内部部品を固定するためのねじ穴が筐体の内壁面に形成されるとともに、ねじを回すドライバを挿入するための開口部が前記筐体に形成されていることを特徴とする。
【０００７】
請求項１に記載の発明によれば、内部部品は、押出成型により筐体に形成される両端の開放部、又は筐体に形成された開口部を介して筐体内のねじ穴の位置に配置される。そして、前記開口部から挿入されるドライバによって内部部品はねじ止め固定される。本発明は、押出成型により形成される筐体の厚肉の壁面に、貫通孔ではないねじ穴を形成し、このねじ穴を利用して内部部品をねじ止め固定する。これにより、押出成型によって筒状に形成された筐体の外観意匠性を損なうことなく内部部品を筐体に固定することができる。また、前記開口部は、勿論であるが押出方向に平行な面に形成され、その開口部の投影面内にねじ穴が形成されている。これにより、押出方向に直交する方向にドライバを挿入し、ねじによる内部部品の締結作業を行うことができる。なお、ねじ穴が貫通している場合には、そのままであると筐体の外観意匠性を損なうことから、筐体の外観面に取り付けられるレンズリング、窓枠パネル等の外装部材をねじ穴の露出面に取り付けて隠すようにすることが好ましい。また、ねじ穴に代えて溶着ボスを筐体の内壁面に配置しても同様の効果を得ることができる。
【０００８】
請求項２に記載の発明は、請求項１において、前記筐体の前記開口部は、筐体に取り付けられる表示部又は操作部によって閉塞されることを特徴とする。
【０００９】
請求項２に記載の発明によれば、ねじ止め固定のために形成した開口部を、既存部材である表示部又は操作部によって閉塞するようにしたので、開口部を形成しても筐体の外観意匠性が損なうことはない。表示部又は操作部は、ねじを用いて筐体に固定してもよいが、ねじが露出することによる外観意匠性の悪化を防止するために、開口部に嵌合し、接着剤で固定することが好ましい。また、表示部又は操作部は、コンパクトな筐体において比較的大面積を有し、それを装着するための開口部も大きくなることから、ねじ穴の配置位置、数の自由度が広がり、これによって、複数の内部部品をねじ止めすることが可能になる。
【００１０】
請求項３に記載の携帯電子機器の組立方法の発明は、前記目的を達成するために、筐体が押出成型によって筒状に形成された携帯電子機器の組立方法であって、前記筐体に形成された開口部からドライバを挿入し、筐体の内壁面に形成されたねじ穴を利用して内部部品を筐体の内壁面にねじ止め固定し、前記開口部を表示部又は操作部によって閉塞することを特徴とする。
【００１１】
請求項３に記載の携帯電子機器の組立方法の発明によれば、まず、筐体に形成された開口部からドライバを挿入し、次に、筐体の内壁面に形成されたねじ穴を利用して内部部品を筐体内にねじ止め固定し、次いで、開口部を表示部又は操作部によって閉塞する。これにより、筐体の外観意匠性を損なうことなく内部部品を筐体に固定することができる。
【発明の効果】
【００１２】
本発明に係る携帯電子機器によれば、内部部品を筐体に固定するためのねじ穴を筐体の内壁面に形成するとともに、ねじを回すドライバを挿入するための開口部を筐体に形成したので、筐体の外観意匠性を損なうことなく内部部品を筐体に固定することができる。
【００１３】
本発明に係る携帯電子機器の組立方法によれば、筐体に形成された開口部からドライバを挿入し、筐体の内壁面に形成されたねじ穴を利用して内部部品を筐体内にねじ止め固定し、開口部を表示部又は操作部によって閉塞するので、筐体の外観意匠性を損なうことなく内部部品を筐体に固定することができる。
【発明を実施するための最良の形態】
【００１４】
以下、添付図面に従って本発明に係る携帯電子機器及びその組立方法の好ましい実施の形態について説明する。
【００１５】
図１は、本発明が適用されたデジタルカメラ１０を背面側から見た組立斜視図である。なお、図１では、携帯電子機器としてデジタルカメラ１０を例示するが、これに限定されるものではなく、携帯ゲーム機、携帯電話、ＰＤＡ（Personal Digital Assistant）等の携帯電子機器に適用することができる。
【００１６】
同図に示すデジタルカメラ１０は、いわゆる薄型のコンパクトカメラとして構成されており、そのカメラボディである筐体１２は、図１上で上下方向に抜き型を有する押出成型によって扁平な矩形状の中空箱体に形成されている。よって、筐体１２の上面には押出成型による開放部１３が形成され、下面にも同様に開放部１３が形成されている。これらの開放部１３、１３は樹脂製のパネル部材（不図示）によって閉塞される。また、筐体１２の背面には、ＬＣＤ等の表示部１４を嵌め込むための矩形状開口部１６が機械加工により形成されている。
【００１７】
被写体の光学像を撮像素子（不図示）の受光面上に結像させるためのレンズユニット（内部部品）１８は、筐体１２内に実装される。また、このレンズユニット１８は、沈胴式のズームレンズで構成されており、カメラの電源をＯＮにすると、そのレンズ鏡筒が筐体１２の前面開口部２０から前方に繰り出される。そして、カメラの電源をＯＦＦにすると、繰り出されたレンズ鏡胴は筐体１２の内側に沈胴し、筐体１２の前面がフラットになる。更に、レンズユニット１８には、ズームレンズの前玉を保護するためのレンズバリア（不図示）が組み込まれており、レンズ鏡筒の沈胴、繰り出しに応じて自動で開閉される。更にまた、前記撮像素子は、レンズユニット１８の後端部にハウジング２２を介して取り付けられている。なお、この筐体１２内には、レンズユニット１８の他、基板等の電子部品、電池等の多数の内部部品が実装される。
【００１８】
ところで、図１に示したレンズユニット１８は、筐体１２の背面に形成された前記開口部１６、又は筐体１２の開放部１３、１３のうち何方か一方の開放部１３を介して筐体１２内に挿入配置される。
【００１９】
また、レンズユニット１８を筐体１２に固定するためのねじ穴２４、２４が筐体１２の前面側内壁面１２Ａに形成されるとともに、ねじ２６、２６を回すドライバ２８を挿入するための開口部として開口部１６が利用されている。
【００２０】
レンズユニット１８には、ねじ２６を通す貫通孔３０、３０が、ハウジング２２に形成された舌状片部３２、３２に形成されている。
【００２１】
したがって、レンズユニット１８の取り付けは、まず、筐体１２の開口部１６、又は筐体１２の開放部１３、１３のうち何方か一方の開放部１３を介して筐体１２内のねじ穴２４、２４の位置にレンズユニット１８を配置する。そして、開口部１６から挿入されるドライバ２６によってレンズユニット１８をねじ２６、２６によって筐体１２の前面側内壁面１２Ａにねじ止め固定する。
【００２２】
実施の形態のデジタルカメラ１０は、押出成型により形成される筐体１２の厚肉の壁面に、貫通孔ではないねじ穴２４、２４を形成し、このねじ穴２４、２４を利用してレンズユニット１８をねじ止め固定する。これにより、押出成型によって筒状に形成された筐体１２の外観意匠性を損なうことなくレンズユニット１８を筐体１２に固定することができる。
【００２３】
また、開口部１６は、筐体１２の押出方向に平行な面（背面）に形成され、前面側内壁面１２Ａに対する開口部１６の投影面内にねじ穴２４、２４が形成されている。これにより、押出方向に直交する方向にドライバ２８を挿入し、ねじ２６、２６によるレンズユニット１８の締結作業を行うことができる。
【００２４】
なお、図２の如くねじ穴２４Ａ、２４Ａが貫通している場合には、そのままであると筐体１２の外観意匠性を損なうことから、筐体１２の外観面に取り付けられるレンズリング３４をねじ穴２４Ａ、２４Ａの露出面に取り付けて隠すようにすることが好ましい。また、レンズリング３４にねじ穴（貫通していないねじ穴）３４Ａ、３４Ａを形成し、このねじ穴３４Ａ、３４Ａにねじ２６、２６を締結することにより、レンズリング３４も筐体１２に同時に固定することができる。実施の形態では、ねじ穴２４、２４Ａを例示したが、これに代えて溶着ボスを筐体１２の前面側内壁面１２Ａに配置しても同様の効果を得ることができる。
【００２５】
一方、実施の形態のデジタルカメラ１０では、ねじ止め固定のために形成した開口部１８が、既存部材である表示部１４によって閉塞される。このため、筐体１２に開口部１６を形成しても筐体１２の外観意匠性が損なうことはない。表示部１４は、ねじを用いて筐体１２に固定してもよいが、ねじが露出することによる外観意匠性の悪化を防止するために、開口部１６に嵌合し、接着剤で固定することが好ましい。また、表示部１４は、コンパクトな筐体１２において比較的大面積を有し、それを装着するための開口部１６も大きくなることから、ねじ穴２４、２４Ａの配置位置、数の自由度が広がり、これによって、複数の内部部品（基板等）をねじ止めすることが可能になる。
【００２６】
図３は、本発明が適用されたＰＤＡ５０を正面側から見た組立斜視図である。
【００２７】
同図に示すＰＤＡ５０の筐体５２は、図３上で上下方向に抜き型を有する押出成型によって扁平な矩形状の中空箱体に形成されている。よって、筐体５２の上面には押出成型による開放部５３が形成され、下面にも同様に開放部５３が形成されている。これらの開放部５３、５３は樹脂製のパネル部材（不図示）によって閉塞される。また、筐体５２の正面には、操作ユニット５４を嵌め込むための矩形状開口部５６が機械加工により形成されている。この操作ユニット５４のプレート５４Ａには、再生、停止、選択等を指示する複数の操作ボタン５４Ｂ、５４Ｂ…が搭載されている。
【００２８】
ＰＤＡ５０のマイコン、メモリ等のマイクロチップが搭載された基板５８は、筐体５２内に実装される。この基板５８は、筐体５２の正面に形成された開口部５６、又は筐体５２の開放部５３、５３のうち何方か一方の開放部５３を介して筐体５２内に挿入配置される。
【００２９】
また、基板５８を筐体５２に固定するためのねじ穴６０、６０が筐体５２の背面側内壁面５２Ａに形成されるとともに、ねじ２６、２６を回すドライバ（図１参照）を挿入するための開口部として開口部５６が利用されている。更に、基板５８の角部には、ねじ２６を通す貫通孔６２、６２が形成されている。
【００３０】
したがって、基板５８の取り付けは、まず、筐体５２の開口部５６、又は筐体５２の開放部５３、５３のうち何方か一方の開放部５３を介して筐体５２内のねじ穴６０、６０の位置に基板５８を配置する。そして、開口部５６から挿入されるドライバ（図１参照）によって基板５８をねじ２６、２６によって筐体１２の背面側内壁面５２Ａにねじ止め固定する。
【００３１】
実施の形態のＰＤＡ５０は、押出成型により形成される筐体５２の厚肉の壁面に、貫通孔ではないねじ穴６０、６０を形成し、このねじ穴６０、６０を利用して基板５８をねじ止め固定する。これにより、押出成型によって筒状に形成された筐体５２の外観意匠性を損なうことなく基板５８を筐体５２に固定することができる。
【００３２】
また、開口部５６は、筐体５２の押出方向に平行な面（正面）に形成され、背面側内壁面５２Ａに対する開口部５６の投影面内にねじ穴６０、６０が形成されている。これにより、押出方向に直交する方向にドライバを挿入し、ねじ２６、２６による基板５８の締結作業を行うことができる。なお、実施の形態では、ねじ穴６０、６０を例示したが、これに代えて溶着ボスを筐体５２の背面側内壁面５２Ａに配置しても同様の効果を得ることができる。
【００３３】
一方、実施の形態のＰＤＡ５０では、ねじ止め固定のために形成した開口部５６が、既存部材である操作ユニット５４によって閉塞されるため、開口部５６を形成しても筐体５２の外観意匠性が損なうことはない。操作ユニット５４は、ねじを用いて筐体５２に固定してもよいが、ねじが露出することによる外観意匠性の悪化を防止するために、開口部５６に嵌合し、接着剤で固定することが好ましい。また、操作ユニット５４は、コンパクトな筐体５２において比較的大面積を有し、それを装着するための開口部５６も大きくなることから、ねじ穴６０の配置位置、数の自由度が広がり、これによって、複数の内部部品をねじ止めすることが可能になる。
【００３４】
なお、図３の符号６４は表示部であり、この表示部６４を筐体５４に嵌め込むために形成した開口部を利用して他の内部部品をねじ止めするようにしてもよい。
【図面の簡単な説明】
【００３５】
【図１】実施の形態のデジタルカメラを背面側から見た組立斜視図
【図２】レンズリングによってねじ穴を隠すデジタルカメラの説明図
【図３】実施の形態のＰＤＡを正面側から見た組立斜視図
【符号の説明】
【００３６】
１０…デジタルカメラ、１２…筐体、１４…表示部、１６…開口部、１８…レンズユニット、２０…前面開口部、２２…ハウジング、２４…ねじ穴、２６…ねじ、２８…ドライバ、３０…貫通孔、３２…舌状片部、５０…ＰＤＡ、５２…筐体、５４…操作ユニット、５６…開口部、５８…基板、６０…ねじ穴、６２…貫通孔、６４…表示部
【図１】
2009130178.tif 000003
【図２】
2009130178.tif 000004
【図３】
2009130178.tif 000005